(57)【要約】【課題】電力が遮断された場合においても利用者に飲料を供給することができる飲料供給装置を提供する。【解決手段】飲料供給装置は、ボトル載置部に載置される飲料ボトル６から飲料を取り入れる飲料取入部２２と、利用者の利用に供する飲料を出水する供給ノズル１１の先端部１１ａと、常温水用電磁弁２７を備え、飲料取入部２２から取り入れた飲料を供給ノズル１１の先端部１１ａに導く常温水供給配管２６（供給ノズル１１を含む）と、これらの電磁弁２７をバイパスするように常温水供給配管２６に接続されるバイパス配管８０と、バイパス配管８０に設けられたボールバルブ８１と、を有している。【選択図】図３
2018122909.tif 000002
【特許請求の範囲】
【請求項１】
ボトル載置部の下方に配置され、前記ボトル載置部に載置される飲料ボトルから飲料を取り入れる飲料取入部と、
利用者の利用に供する飲料を出水する出水部と、
電動で開閉駆動する電動式開閉弁を備え、前記飲料取入部から取り入れた飲料を前記出水部に導く供給配管と、
前記電動式開閉弁をバイパスするように前記供給配管に接続されるバイパス配管と、
前記バイパス配管に設けられ、手動による開閉操作により開閉する手動式開閉弁と、
を有することを特徴とする飲料供給装置。
【請求項２】
前記供給配管は、
前記飲料取入部から取り入れた飲料を常温のまま前記出水部に導く常温水供給配管と、
前記飲料取入部から取り入れた飲料を冷却した状態で貯留する冷却タンクから前記出水部に飲料を導く冷水供給配管と、
前記飲料取入部から取り入れた飲料を加熱した状態で貯留する加熱タンクから前記出水部に飲料を導く温水供給配管と、を含み、
前記バイパス配管は、前記冷水供給配管又は前記常温水供給配管に配設されることを特徴とする請求項１に記載された飲料供給装置。
【請求項３】
装置本体をなす筐体の正面側に設けられ、当該筐体の背面方向に奥行きをもった給水空間を備え、
前記給水空間は、当該給水空間の上方が、前記筐体の奥行き方向に向かって傾斜する傾斜壁部によって仕切られており、
前記傾斜壁部の奥端側には、前記筐体の内外を貫通する操作用開口部が設けられており、
前記手動式開閉弁は、前記筐体の内部に、前記操作用開口部に臨んで配置されていることを特徴とする請求項１又は２に記載された飲料供給装置。
【発明の詳細な説明】
【技術分野】
【０００１】
本発明は、飲料供給装置に関する。
【背景技術】
【０００２】
従来より、飲料ボトルから取り入れた飲料（例えば水）を供給する飲料供給装置が知られている。この飲料供給装置は、飲料ボトルを載置可能又は内蔵可能な筐体と、当該筐体内に収容されて、飲料ボトルから取り入れた飲料を所定の温度に温調して貯留する貯留タンクとを備えている。貯留タンクに溜められた飲料は、供給配管を流れ、利用者の利用に供する飲料を出水する出水部から供給される。
【０００３】
例えば特許文献１には、出水部からの飲料の出水状態を調整する開閉弁を、供給配管に備えた飲料供給装置が開示されている。この飲料供給装置において、開閉弁は電磁弁で構成されており、当該電磁弁は制御基板により開閉制御される。
【０００４】
なお、特許文献２には、開閉弁の水抜き構造が開示されている。
【先行技術文献】
【特許文献】
【０００５】
【特許文献１】特開２０１３−９５４９７号公報
【特許文献２】特開２０１５−１２９５４１号公報
【発明の概要】
【発明が解決しようとする課題】
【０００６】
しかしながら、電動で開閉駆動する電動式開閉弁によって出水部からの飲料の出水状態を調整する手法にあっては、例えば停電のように飲料供給装置に供給される電力が遮断されたときに、利用者が飲料を得ることができないという問題がある。
【０００７】
本発明はかかる事情に鑑みてなされたものであり、その目的は、電力が遮断された場合においても利用者に飲料を供給することができる飲料供給装置を提供する。
【課題を解決するための手段】
【０００８】
かかる課題を解決するために、本発明は、ボトル載置部の下方に配置され、ボトル載置部に載置される飲料ボトルから飲料を取り入れる飲料取入部と、利用者の利用に供する飲料を出水する出水部と、電動で開閉駆動する電動式開閉弁を備え、飲料取入部から取り入れた飲料を出水部に導く供給配管と、電動式開閉弁をバイパスするように供給配管に接続されるバイパス配管と、バイパス配管に設けられ、手動による開閉操作により開閉する手動式開閉弁と、を有する飲料供給装置を提供する。
【０００９】
ここで、本発明において、供給配管は、飲料取入部から取り入れた飲料を常温のまま出水部に導く常温水供給配管と、飲料取入部から取り入れた飲料を冷却した状態で貯留する冷却タンクから出水部に飲料を導く冷水供給配管と、飲料取入部から取り入れた飲料を加熱した状態で貯留する加熱タンクから出水部に飲料を導く温水供給配管と、を含み、バイパス配管は、冷水供給配管又は常温水供給配管に配設されることが好ましい。
【００１０】
また、本発明において、装置本体をなす筐体の正面側に設けられ、当該筐体の背面方向に奥行きをもった給水空間を備え、給水空間は、当該給水空間の上方が、筐体の奥行き方向に向かって傾斜する傾斜壁部によって仕切られており、傾斜壁部の奥端側には、筐体の内外を貫通する操作用開口部が設けられており、手動式開閉弁は、筐体の内部に、操作用開口部に臨んで配置されていることが好ましい。
【発明の効果】
【００１１】
本発明によれば、手動式開閉弁を開操作することにより、電動式開閉弁が開状態へと切り替わらずとも、出水部から飲料を供給することができる。これにより、停電等の発生により電力が遮断され、電動式開閉弁が開閉駆動しないような状況であっても、利用者が飲料を利用することができる。
【図面の簡単な説明】
【００１２】
【図１】本実施形態に係る飲料供給装置の外観を示す斜視図
【図２】本実施形態に係る飲料供給装置の内部構成を模式的に示す図
【図３】本実施形態に係る飲料供給装置の配管構成を概略的に示す説明図
【図４】本実施形態に係る飲料供給装置の要部を模式的に示す図
【図５】本実施形態に係る飲料供給装置の要部を模式的に示す図
【発明を実施するための形態】
【００１３】
以下、図面を参照しつつ本実施形態に係る飲料供給装置１について説明する。ここで、図１は、本実施形態に係る飲料供給装置１の外観を示す斜視図である。図２は、本実施形態に係る飲料供給装置１の内部構成を模式的に示す図である。図３は、本実施形態に係る飲料供給装置１の配管構成を概略的に示す説明図である。図４は、本実施形態に係る飲料供給装置１の要部を模式的に示す図である。図５は、本実施形態に係る飲料供給装置１の要部を模式的に示す図である。
【００１４】
本実施形態に係る飲料供給装置１は、飲料を所定の温度に加熱して又は冷却して、或いは、常温のまま供給する装置である。本実施形態では、飲料として水を例示するが、これ以外の飲料であってもよい。
【００１５】
この飲料供給装置１は、装置本体である筐体２と、その内部に収容される冷却タンク３及び加熱タンク４と、操作パネル５とを主体に構成されている。
【００１６】
筐体２の上端部には、ボトル載置部２０が設けられており、当該ボトル載置部２０には、飲料が充填された飲料ボトル６を載置することができる（図４及び図５において、飲料ボトル６は省略されている）。ボトル載置部２０に載置された飲料ボトル６内の水は、周囲の温度に応じた常温となる。
【００１７】
飲料ボトル６は、図２に示すように、当該飲料ボトル６の上端部から突き出した飲料取出口６０を下方に向けた状態でボトル載置部２０に載置される。この載置状態において、飲料取出口６０は、ボトル載置部２０の中央に設けられた挿入凹部２１に挿入される。
【００１８】
ボトル載置部２０の下面（裏面）側には、ボトル載置部２０に載置された飲料ボトル６から水を取り入れる飲料取入部２２が設けられている。飲料取入部２２は、底面側が閉塞された筒状部材からなる取入部本体２２ａと、この取入部本体２２ａの底面中央に設けられ、当該底面を貫通して上下方向に延在する円筒部２２ｂとで構成されている。
【００１９】
取入部本体２２ａの上端側の内周面は、挿入凹部２１の下端側の外周面に対して嵌合する嵌合部をなしており、取入部本体２２ａは、ボトル載置部２０の下面側から、挿入凹部２１に対して嵌合固定される。
【００２０】
円筒部２２ｂは、取入部本体２２ａの上端より突出した高さに設定されており、その先端部は挿入凹部２１の内方まで到達している。円筒部２２ｂの先端部は、上方に向かって膨出するような半球形状に形成されており、当該先端部より若干下がった位置には、給水開口２２ｃが形成されている。
【００２１】
飲料ボトル６がボトル載置部２０に載置され、飲料取出口６０が挿入凹部２１に挿入されると、円筒部２２ｂが飲料取出口６０から飲料ボトル６の内部に挿入される。この際、円筒部２２ｂの給水開口２２ｃも飲料ボトル６の内部に位置する。このため、飲料ボトル６に溜められている水は、給水開口２２ｃから円筒部２２ｂの内部へと流入し、飲料ボトル６内の水が、飲料供給装置１の内部へと取り入れられる。円筒部２２ｂの下端には、後述する接続配管２５が接続されており、円筒部２２ｂに流入した水は、接続配管２５を経由して冷却タンク３に供給される。
【００２２】
冷却タンク３は、冷却（温調）された水を貯留する金属製の貯留タンクであり、筐体２内の上方に位置する空間部に配置されている。この冷却タンク３は、飲料取入部２２よりも下方に配置されている。
【００２３】
冷却タンク３は、底面側が閉塞された有底筒状のタンク本体３０を備えている。タンク本体３０の周側壁の下側領域には、タンク本体３０内の水を冷却するための熱交換部７０が設置されている。
【００２４】
筐体２の底部には、冷却装置７１が設けられており、この冷却装置７１は、熱交換部７０との間で冷媒を循環させる冷媒配管（図示せず）を備えている。冷媒配管を介して冷媒が循環し、熱交換部７０に冷却された冷媒が供給されることで、冷却タンク３に溜まっている水（特に下側に貯留される水）が冷却される。
【００２５】
また、タンク本体３０は、保冷性を確保するために、その周囲が断熱材３２により覆われている。断熱材３２は、例えば発泡スチロール等により構成されている。
【００２６】
冷却タンク３は、タンク本体３０の上面を閉塞するタンク蓋３５を備えている。このタンク蓋３５は、例えば樹脂材料から形成されており、その上面には、後述する配管接続部３６を除き、断熱材（図示せず）が配設されている。
【００２７】
タンク蓋３５の所要の位置には、冷却タンク３の内外を連通する貫通孔を備えた配管接続部３６が設けられている。配管接続部３６には、タンク蓋３５の上面側から接続配管２５が接続されており、接続配管２５を流れた水はタンク蓋３５を通過してタンク本体３０に供給される。
【００２８】
タンク蓋３５の下面側（すなわち、冷却タンク３の内側）には、弁体３７を備えるフロート３８が設けられている。フロート３８は、タンク蓋３５に対して回動可能に取り付けらており、冷却タンク３内の液面の上下動に応じて回動する。弁体３７は、フロート３８の回動動作に応じて上下方向に移動することで、配管接続部３６の下面側（接続配管２５の出口端部）を開閉する。冷却タンク３内の水は、フロート３８及び弁体３７の動作により、所定の水位に維持される。
【００２９】
具体的には、水の消費に応じて、冷却タンク３内の水位が低下すると、フロート３８が、図４における反時計回り方向へと回動する。弁体３７は、フロート３８の回動に応じて配管接続部３６の下面側から離間し、これにより、配管接続部３６の下面側が開放される。その結果、飲料ボトル６から接続配管２５を介して冷却タンク３へと水が供給され、冷却タンク３内の水位が上昇する。一方、フロート３８は、水位の上昇に応じて図４における時計回り方向へと回動する。弁体３７は、フロート３８の回動に応じて配管接続部３６の下面側を閉塞し、これにより、接続配管２５からの水の流入が停止される。このように、冷却タンク３には、消費に応じた水が飲料ボトル６から供給される。
【００３０】
冷却タンク３には、上下方向の中間位置に仕切板３９が設置されている。冷却タンク３内の水は、仕切板３９を境に、仕切板３９よりも上側の水と、熱交換部７０と位置的に対応する、仕切板３９よりも下側の水とに仕切られる。この構成により、熱交換部７０により冷却された下側の水と、未冷却の上側の水とが混合することが抑制され、冷却した水が温められてしまうという事態を抑制することができる。
【００３１】
冷却タンク３の底面側には、冷水供給配管３３が接続されており、冷水供給配管３３には、電動で開閉駆動する電動式開閉弁である冷水用電磁弁３４が設けられている。冷水供給配管３３の冷水用電磁弁３４よりも下流側は、供給ノズル１１に接続されている。供給ノズル１１は、冷水供給配管３３並びに後述する温水供給配管４２及び常温水供給配管２６が合流しながら接続し、これらの供給配管３３，４２，２６の一部（下流側）を構成している。
【００３２】
供給ノズル１１の先端側は筐体２の外部に延出しており、当該供給ノズル１１の先端部１１ａは、利用者の利用に供する飲料を出水する出水部として機能する。供給ノズル１１の先端部１１ａ（出水部）は、冷却タンク３に溜まる水の液面より下方となる位置に設定されている。操作パネル５などの操作に応じて、図示しないコントローラから冷水の給水指示がなされると、冷水用電磁弁３４が開かれ、冷却タンク３内の冷えた水が、冷水供給配管３３を介して供給ノズル１１の先端部１１ａ（出水部）から供給される。このように、冷水用電磁弁３４により、供給ノズル１１の先端部１１ａからの冷水の出水状態が調整される。
【００３３】
加熱タンク４は、加熱（温調）された水を貯留する貯留タンクであり、筐体２内の中間に位置する空間部に配置されている。加熱タンク４は、冷却タンク３よりも下方、冷却装置７１よりも上方に配置されている。加熱タンク４にはヒータ（図示せず）が設置されており、当該ヒータにより加熱タンク４内の水が加熱される。
【００３４】
加熱タンク４の上面側には、中継配管４０が接続されており、この中継配管４０の他端は、冷却タンク３に接続されている。具体的には、冷却タンク３内の仕切板３９の中央部には貫通孔が穿孔されている。また、冷却タンク３の内部には、上下方向に沿って延在する中空のパイプ部４１が配置されている。パイプ部４１の上端は仕切板３９に接続され、当該パイプ部４１の中空部が仕切板３９の貫通孔と連通されている。中継配管４０の他端側は、冷却タンク３の底面を貫通した状態でパイプ部４１の中空部に配設されており、その先端が仕切板３９まで到達している。
【００３５】
冷却タンク３内の仕切板３９よりも上側の水は中継配管４０に流入すると、当該中継配管４０を経て加熱タンク４へ供給される。このように、加熱タンク４への水の供給は、飲料ボトル６から直接行われるのではなく、冷却タンク３から行われる。
【００３６】
加熱タンク４の上部には、温水供給配管４２が接続されており、当該温水供給配管４２には、電動で開閉駆動する電動式開閉弁である温水用電磁弁４３が設けられている。温水供給配管４２の温水用電磁弁４３よりも下流側は、冷水供給配管３３と同様、供給ノズル１１に接続されている。操作パネル５などの操作に応じて、図示しないコントローラから温水の給水指示がなされると、温水用電磁弁４３が開かれ、加熱タンク４内の加熱された水が、温水供給配管４２を介して供給ノズル１１の先端部１１ａ（出水部）から供給される。このように、温水用電磁弁４３により、供給ノズル１１の先端部１１ａからの温水の出水状態が調整される。
【００３７】
なお、加熱タンク４から水が供給されると、供給された分の水が冷却タンク３から加熱タンク４へと供給される。同様に、加熱タンク４への供給分の水が飲料ボトル６から冷却タンク３へと供給される。
【００３８】
また、加熱タンク４の上部には、循環配管４４が接続されており、当該循環配管４４には、電動で開閉駆動する電動式開閉弁である循環用電磁弁４５が設けられている。循環配管４４の他端は、冷却タンク３の下面側に接続されており、循環配管４４を介して加熱タンク４と冷却タンク３とが相互に接続されている。操作パネル５の操作に応じて、図示しないコントローラからクリーニング指示がなされると、通常は閉じた状態の循環用電磁弁４５が開かれる。これにより、加熱タンク４内の加熱された水が冷却タンク３に送られ、冷却タンク３内が加熱された水で満たされるので、冷却タンク３内の熱殺菌（クリーニング）を実施することができる。冷却タンク３と加熱タンク４との間に循環配管４４を追加することで、中継配管４０と循環配管４４とにより冷却タンク３と加熱タンク４との間で水が循環し、クリーニングの際、水を素早く循環させることができる。
【００３９】
図１に示すように、筐体２の正面（前面）２ａの中央部には、所要の大きさを備える筐体開口２４が設けられており、当該筐体開口２４には化粧パネル５０が配設されている。
【００４０】
化粧パネル５０の上部には、正面側へと張り出した膨出部５１が設けられている。膨出部５１は、上側から下側にかけて正面側に突き出すように傾斜する傾斜形状とされており、当該膨出部５１の表面には操作パネル５が配設されている。操作パネル５には、利用者からの操作を受け付けるための操作手段が配置されている。操作手段としては、タッチパネルやダイヤル、スイッチ等を用いることができるが、これ以外の操作手法を用いるものであってもよい。利用者は、この操作パネル５への操作を通じて、温水、冷水又は常温水に対する給水指示や、飲料供給装置１が備える各種機能に対する実行指示を行うことができる。
【００４１】
また、膨出部５１よりも下側の化粧パネル５０には、上側から下側にかけて筐体２の奥行き方向に向かって傾斜する傾斜壁部５２と、当該傾斜壁部５２の下側に連設されて、鉛直方向に起立する縦壁部５３とが設けられている。この傾斜壁部５２と、縦壁部５３と、筐体２をなす左右の側面２ｂ，２ｃとにより、供給ノズル１１から供給される水を受けるための給水空間Ｓが形成される。この給水空間Ｓは、筐体２の正面２ａ側に設けられ、当該筐体２の背面方向に奥行きをもった空間となる。
【００４２】
傾斜壁部５２にはノズル開口５２ａが設けられており、当該ノズル開口５２ａには、供給ノズル１１がその先端部１１ａを下向きに突き出すように配置されている。ノズル開口５２ａから突き出した供給ノズル１１の先端側は、ノズルカバー５４により覆われている。
【００４３】
給水空間Ｓの下端には、コップ等の容器を載置したり、容器から溢れた水を受け止めたりするためのドリップトレイ５５が配置されている。飲料供給装置１の使用時には、ドリップトレイ５５上の所定位置に容器を置き、操作パネル５に対して所定の給水操作を行うことで、供給ノズル１１から供給される水を容器で受けることができる。
【００４４】
本実施形態の特徴の一つとして、飲料供給装置１は、冷水を給水する機能及び温水を給水する機能を備えるのみならず、常温水を供給する機能も備えている。
【００４５】
具体的には、図４に示すように、飲料ボトル６から水を取り入れる飲料取入部２２と、冷却タンク３とは、上下方向に沿って一定距離だけ離間されている。そして、飲料取入部２２と、この飲料取入部２２の下端から下方に離間して配置された冷却タンク３との間に、接続配管２５が配設されている。この接続配管２５の一端は、飲料取入部２２における円筒部２２ｂの下端に接続され、接続配管２５の他端は、タンク蓋３５の上面側から配管接続部３６に接続されている。すなわち、接続配管２５により、飲料取入部２２の下端部と冷却タンク３の上面部との間が接続されることとなる。
【００４６】
接続配管２５は、当該接続配管２５から分岐する常温水供給配管２６を備えている。常温水供給配管２６は、飲料取入部２２から取り入れた水を供給ノズル１１に導く配管であり、この常温水供給配管２６には、常温水用電磁弁２７が設けられている。常温水供給配管２６の常温水用電磁弁２７よりも下流側は、上述した冷水供給配管３３及び温水供給配管４２と同様、供給ノズル１１に接続されている。操作パネル５などの操作に応じて、図示しないコントローラから常温水の給水指示がなされると、常温水用電磁弁２７が開かれ、飲料ボトル６内の水（常温水）が、飲料ボトル６の直下に接続する接続配管２５及び常温水供給配管２６を介して供給ノズル１１の先端部１１ａ（出水部）から供給される。このように、常温水用電磁弁２７により、供給ノズル１１の先端部１１ａからの常温水の出水状態が調整される。
【００４７】
本実施形態において、常温水供給配管２６は、接続配管２５とは独立した別部品からなり、接続配管２５の分岐部と供給ノズル１１とにそれぞれ接続されている。常温水供給管２６は、可撓性を備えるパイプ、例えばシリコンゴム製のチューブで構成されている。接続配管２５や供給ノズル１１は筐体２ａ内での位置が予め固定されているため、常温水供給配管２６をこのような構成で実現することで、常温水供給配管２６の組み付けが容易となる。また、飲料供給装置１は、一定の使用期間を経過すると事業者により回収され、再利用される場合があるが、常温水供給配管２６をこのような構成で実現することで、再利用時における洗浄作業、部品の交換作業が容易となる。
【００４８】
また、本実施形態において、常温水供給配管２６には、常温水用電磁弁２７をバイパスするように、バイパス配管８０が接続されている。このバイパス配管８０は、停電などの事情により飲料供給装置１に電力が供給されず、常温水用電磁弁２７が動作しないようなケースであっても水の供給を可能とするために設けられている。具体的には、バイパス配管８０の一端は、常温水供給配管２６における常温水用電磁弁２７の上流側に接続される。一方、バイパス配管８０の他端は、常温水供給配管２６における常温水用電磁弁２７の下流側、例えば常温水供給配管２６の一部をなす供給ノズル１１に接続されている。
【００４９】
なお、本実施形態では、常温水供給配管２６に、常温水用電磁弁２７のみが設けられている。ただし、常温水供給配管２６やこれに続く供給ノズル１１に複数の電磁弁を備える場合、バイパス配管８０の一端は、常温水供給配管２６のうち最も上流側に位置する電磁弁の上流側に接続され、バイパス配管８０の他端は、常温水供給配管２６（供給ノズル１１を含む）のうち最も下流側に位置する電磁弁の下流側に接続されていることが好ましい。
【００５０】
このバイパス配管８０には、手動による開閉操作により開閉する手動式開閉弁としてのボールバルブ８１が配設されている。ボールバルブ８１は、バルブ本体８１ａと、回転操作部８１ｂとで構成されている。回転操作部８１ｂを開閉操作、例えば回転操作することにより、バルブ本体８１ａに内蔵された弁体（図示せず）が回転し、この弁体の回転に応じてバルブ本体８１ａが開状態となる。これにより、バイパス配管８０が開放される。
【００５１】
一方、筐体２の正面２ａ側に配設された化粧パネル５０において、当該給水空間Ｓの上方を仕切る傾斜壁部５２の奥端側には、筐体２の内外を貫通する操作用開口部５２ｂが形成されている。この操作用開口部５２ｂには、着脱可能な開口カバー５６が取り付けられており、操作用開口部５２ｂは、通常、開口カバー５６により覆われている。開口カバー５６は、操作用開口部５２ｂに取り付けられた状態で、当該化粧パネル５０の造形と一体性を有するような形状に設定されている。
【００５２】
上述したボールバルブ８１は、筐体２の内部に配置されるとともに、操作用開口部５２ｂに臨んで配置されている。そのため、開口カバー５６を操作用開口部５２ｂから取り外すことで、利用者は、操作用開口部５２ｂからボールバルブ８１を操作することができる。
【００５３】
ボールバルブ８１のバルブ本体８１ａが閉状態にある場合、バイパス配管８０は遮断されているため、バイパス配管８０を介して水が流れることはない。一方、回転操作部８１ｂを回転させて開操作すると、バルブ本体８１ａに内蔵された弁体も回転し、バルブ本体８１ａが開状態となる。バイパス配管８０は、バルブ本体８１ａの開状態に応じて開放される。これにより、飲料ボトル６内の水（常温水）が、飲料ボトル６の直下に接続する接続配管２５、常温水供給配管２６の一部、バイパス配管８０を介して供給ノズル１１の先端部１１ａ（出水部）から供給される。すなわち、ボールバルブ８１によりバイパス配管８０を開放することにより、常温水用電磁弁２７が開状態へと切り替わらずとも、供給ノズル１１の先端部１１ａから水を供給することができる。
【００５４】
このように本実施形態において、飲料供給装置１は、ボトル載置部２０の下方に配置され、ボトル載置部２０に載置される飲料ボトル６から飲料を取り入れる飲料取入部２２と、利用者の利用に供する飲料を出水する供給ノズル１１の先端部１１ａと、電動で開閉駆動する電動式開閉弁である常温水用電磁弁２７を備え、飲料取入部２２から取り入れた飲料を供給ノズル１１の先端部１１ａに導く常温水供給配管２６（供給ノズル１１を含む）と、常温水用電磁弁２７をバイパスするように常温水供給配管２６に接続されるバイパス配管８０と、バイパス配管８０に設けられ、手動による開閉操作により開閉する手動式開閉弁としてのボールバルブ８１と、を有している。
【００５５】
この構成によれば、ボールバルブ８１を開操作することにより、常温水用電磁弁２７が開状態へと切り替わらずとも、供給ノズル１１の先端部１１ａから常温水を供給することができる。これにより、停電等の発生により電力が遮断され、常温水用電磁弁２７が開閉駆動しないような状況であっても、利用者が水を利用することができる。
【００５６】
また、本実施形態によれば、バイパス配管８０を利用して給水を行う際も、常温水用電磁弁２７を開いて水の給水を行う通常の使用時と同様に、供給ノズル１１の先端部１１ａから水が供給される。その結果、衛生的に、かつ、通常時の使用態様と変わりなく、装置を利用することができる。これにより、利用者の利便性を図ることができる。また、電力が遮断する事態に備え、予備の電源を用意するといった必要もないので、製品コストの増加を抑制することができる。
【００５７】
また、本実施形態において、バイパス配管８０は、常温水供給配管２６、冷水供給配管３３及び温水供給配管４２のうち、常温水供給配管２６に配設されている。
【００５８】
この構成によれば、停電等の発生により電力が遮断された状況にあっても、利用者が常温水を利用することができる。
【００５９】
なお、バイパス配管８０は、これらの３つの供給配管２６，３３，４２のうち、冷水供給配管３３に配設してもよい。この構成により、停電等の発生により電力が遮断された状況にあっても、利用者が冷水、或いは常温に戻った水を利用することができる。
【００６０】
もっとも、バイパス配管８０は、温水供給配管４２に配設するものであってもよい。しかしながら、停電等の緊急時に、利用者にとって予期せずに温水が供給される可能性がある。そのため、バイパス配管８０は、常温水供給配管２６又は冷水供給配管３３に配設することがより好ましい。
【００６１】
また、本実施形態において、傾斜壁部５２の奥端側には、筐体２の内外を貫通する操作用開口部５２ｂが設けられており、ボールバルブ８１は、筐体２の内部に、操作用開口部５２ｂに臨んで配置されている。
【００６２】
この構成によれば、ボールバルブ８１が、筐体２のなかで奥まった位置に配置されることとなる。これにより、非常時に利用されるボールバルブ８１が目立ってしまい、装置外観の見栄えを悪化させるといった事態を抑制することができる。これに加え、ボールバルブ８１が人目につきづらい位置に配置されるので、子供などが不意にボールバルブ８１を操作してしまうといった事態を抑制することができる。また、開口カバー５６で操作用開口部５２ｂをカバーすることにより、このようなメリットをより効果的に発揮することができる。
【００６３】
以上、実施形態に基づき本発明を説明したが、本発明は上記実施形態に限られるものではなく、本発明の趣旨を逸脱しない範囲で、変更を加えてもよい。
【００６４】
例えば、上述した実施形態では、冷水供給配管、温水供給配管及び常温水供給配管を供給ノズルで合流させ、単一の出水部からなる構成としているが、出水部を供給配管毎に設ける構成であってもよい。
【００６５】
また、本実施形態では、手動式開閉弁としてボールバルブを例示しているが、これ以外の構造の手動式開閉弁を利用することもできる。
【符号の説明】
【００６６】
１      飲料供給装置
１１      供給ノズル
１１ａ    先端部（出水部）
２      筐体
２０      ボトル載置部
２１      挿入凹部
２２      飲料取入部
２５      接続配管
２６      常温水供給配管
２７      常温水用電磁弁
３      冷却タンク
３３      冷水供給配管
３４      冷水用電磁弁
３５      タンク蓋
３９      仕切板
４      加熱タンク
４２      温水供給配管
４３      温水用電磁弁
４４      循環配管
４５      循環用電磁弁
５      操作パネル
５０      化粧パネル
５２      傾斜壁部
５２ａ    ノズル開口
５２ｂ    操作用開口部
５６      開口カバー
６      飲料ボトル
６０      飲料取出口
８０      バイパス配管
８１      ボールバルブ
Ｓ        給水空間
【図１】
2018122909.tif 000003
【図２】
2018122909.tif 000004
【図３】
2018122909.tif 000005
【図４】
2018122909.tif 000006
【図５】
2018122909.tif 000007